(57)【要約】【課題】どのような状態や紋様にでも糊殺し部分を形成可能なシール部材及びシール作成装置を提供する。【解決手段】シール部材１０は、第１の基材１１、粘着剤層１２、感熱溶融材層１３、第２基材１４の順に積層されて構成され、シール作成装置２５は、シール部材１０と、シール部材１０の第２の基材１４の面側に配置される溶融用のサーマルヘッド３２と、シール部材１０の第１の基材１１の面側に配置される溶融用のサーマルヘッドと対向するローラ３１と、シール部材１０を、溶融用のサーマルヘッド３２と、溶融用のサーマルヘッドと対向するローラ３１と、で挟持して搬送しながら、溶融用のサーマルヘッド３２にて感熱溶融材層１３の所望の部位を第２の基材１４を介して加熱して、該加熱により感熱溶融した部分の感熱溶融材層１３を粘着剤層１２に固着させる制御部と、を有する。【選択図】図３
2015004027.tif 000002
【特許請求の範囲】
【請求項１】
第１の基材、粘着剤層、感熱溶融材層、の順に積層されている、
ことを特徴とするシール部材。
【請求項２】
一方の面側に前記粘着剤層が積層されている前記感熱溶融材層の他方の面側には、第２の基材が積層されている、
ことを特徴とする請求項１記載のシール部材。
【請求項３】
前記第１の基材は一方の面に印刷が可能な部材であり、前記感熱溶融材層は蝋を含み、前記第２の基材はポリエステルフィルム又は紙を含む、
ことを特徴とする請求項２記載のシール部材。
【請求項４】
請求項１〜３のいずれか一項に記載のシール部材と、
前記シール部材の前記第２の基材の面側に配置される溶融用のサーマルヘッドと、
前記シール部材の前記第１の基材の面側に配置される前記溶融用のサーマルヘッドと対向するローラと、
前記シール部材を、前記溶融用のサーマルヘッドと、前記溶融用のサーマルヘッドと対向するローラと、で挟持して搬送しながら、前記溶融用のサーマルヘッドにて前記感熱溶融材層の所望の部位を前記第２の基材を介して加熱して、該加熱により感熱溶融した部分の前記感熱溶融材層を前記粘着材層に固着させる制御部と、を有する、
ことを特徴とするシール作成装置。
【請求項５】
前記シール部材を巻回して保持するカセットを着脱自在に装着するカセット装着部と、
前記カセットから引き出される前記シール部材の前記第１の基材の面側に配置される印刷用のサーマルヘッドと、
前記シール部材の前記第２の基材の面側に配置される印刷用のサーマルヘッドと対向するローラと、
前記シール部材を装置外に排出するシール排出口と、
前記シール部材を切断する裁断部と、
を有し、
前記制御部は、前記シール部材を前記印刷用のサーマルヘッドと前記印刷用のサーマルヘッドと対向するローラとで挟持して搬送しながら前記印刷用のサーマルヘッドにて前記第１の基材の面に印刷を行う、
ことを特徴とする請求項４記載のシール作成装置。
【請求項６】
前記制御部は、前記第１の基材の面への印刷と、感熱溶融した部分の前記感熱溶融材層の前記粘着材層への固着と、が完了した前記シール部材を、前記裁断部にて裁断し、裁断した前記シール部材を前記シール排出口から排出する、
ことを特徴とする請求項５記載のシール作成装置。
【発明の詳細な説明】
【技術分野】
【０００１】
本発明は、シール部材及びシール作成装置に関わり、更に詳しくは、どのような状態や紋様にでも糊殺し部分を形成可能なシール部材及びシール作成装置に関する。
【背景技術】
【０００２】
従来、図１(a),(b)に示すような、剥離紙付き裏糊付きのシール製品が広く知られている。図１(a)に示すシール製品１は、シール基材等の第１の基材２と、粘着層３と、離型紙ともいわれる剥離紙等の第２の基材４が順次密着した形で出来上がっている。
【０００３】
剥離紙等の第２の基材４を剥がすと裏全面に粘着層３の付いた裏糊付きのシール５を得ることができる。シール５の表に任意のメモ等を書き付けて所望の場所に貼り付けることができる。剥がした第２の基材４は不要な部分であるので廃棄する。
【０００４】
図１(b)に示すシール製品６は、第１の基材２と、部分的粘着層７と、第２の基材４が順次密着した形で出来上がっている。部分的粘着層７が無い部分は糊殺しと呼ばれる部分である。例えば、薬局で処方箋に従った薬を買うと薬と共に健康手帳の半頁分ぐらいの大きさの処方明細書が患者に渡される。
【０００５】
通常のこの処方明細書には裏面の上、中、下の三箇所に粘着剤が塗布され、その上に剥離紙が貼着されている。つまり図１(b)と同様な側断面を有する処方明細書が患者に渡される。患者は上の糊部分を剥いだ処方明細書の上端を、健康手帳の空き頁の所定の位置に位置合わせして貼り付け、中と下の糊部分を順次剥いで全体を貼り付ける。
【０００６】
図１(b)のような部分糊殺し粘着シートについては、省資源化と共に製造コストを大幅に節減でき、かつ品質並びに印刷適性に優れた糊殺し粘着シートの製造方法及びその糊殺し粘着シートが提案されている。（例えば、特許文献１参照。）
【０００７】
この特許文献１に記載の技術は、剥離剤面に糊殺し部を形成した長尺状の剥離紙と共に長尺状の表面基材（シート材）を走行させる過程において、シート材の内面に粘着剤を塗工した後、シート材の内面と剥離紙の剥離剤面とを貼り合わせる、又は、剥離紙の剥離剤面に粘着剤を塗工した後、剥離剤面とシート材の内面とを貼り合わせる、というものである。
【先行技術文献】
【特許文献】
【０００８】
【特許文献１】特開２００７−３９４８４号公報
【発明の概要】
【発明が解決しようとする課題】
【０００９】
しかしながら、このような粘着層をシール材に部分的に塗布する部分糊殺し加工された粘着シートの製造は、特許文献１に記載のように、専門の会社において幅広のロール紙と粘着シートにより大量に生産されたものが、用途向きに細分されて市販されるのが一般的であり、個人で行う事は不可能であった。
【００１０】
本発明は、上記従来の課題を解決するものであって、シールを剥がしやすくするためや、一部分だけを貼り付けて残りの部分は貼り付けないシールを作るために、シールの裏全面ではなく一部分に粘着性のある、つまり部分的に裏糊の無い糊殺しシールを個人レベルで作成できるシール部材及びシール作成装置を提供することを目的とする。
【課題を解決するための手段】
【００１１】
上記課題を解決するために、本発明のシール部材は、第１の基材、粘着剤層、感熱溶融材層、の順に積層されているように構成される。
【００１２】
また、上記課題を解決するために、本発明のシール作成装置は、上記のシール部材と、上記シール部材の上記第２の基材の面側に配置される溶融用のサーマルヘッドと、上記シール部材の上記第１の基材の面側に配置される上記溶融用のサーマルヘッドと対向するローラと、上記シール部材を、上記溶融用のサーマルヘッドと、上記溶融用のサーマルヘッドと対向するローラと、で挟持して搬送しながら、上記溶融用のサーマルヘッドにて上記感熱溶融材層の所望の部位を上記第２の基材を介して加熱して、該加熱により感熱溶融した部分の上記感熱溶融材層を上記粘着材層に固着させる制御部と、を有する、ように構成される。
【発明の効果】
【００１３】
本発明は、どのような状態や紋様にでも糊殺し部分を形成できる糊殺しシールを個人レベルで作成可能なシール部材及びシール作成装置を提供することができる。
【図面の簡単な説明】
【００１４】
【図１】(a),(b)は従来の剥離紙付き裏糊付きのシール製品の形状を示す図である。
【図２】(a)は実施例１に係る糊殺しシール部材を示す側面図、(b)はその糊殺しシール部材を巻回して保持するカセットの断面図、(c)はそのカセットを着脱自在にカセット装着部に装着した糊殺しシール作成装置の装着部の断面図である。
【図３】(a),(b),(c)は実施例１に係る糊殺しシール部材を用いて行う糊殺しの処理を更に詳しく説明する図である。
【図４】(a),(b),(c)はさまざまの異なる糊殺し処理された貼着用シールの例を示す図である。
【発明を実施するための形態】
【００１５】
以下、本発明の実施の形態について、図面を参照しながら詳細に説明する。
［実施例１］
【００１６】
図２(a)は、実施例１に係る糊殺しシール部材を示す側面図であり、図２(b)はその糊殺しシール部材を巻回して保持するカセットの断面図、図２(c)はそのカセットを着脱自在にカセット装着部に装着した糊殺しシール作成装置の装着部の断面図である。
【００１７】
図２(a)に示すように、本例の糊殺しのシール部材１０は、長尺のシール基材等の第１の基材１１に対し、粘着剤が形成された層を含む粘着層１２と、感熱溶融材層１３と、剥離紙等の第２の基材１４とが、糊殺しのシール部材１０の形状に合わせて順次積層されて構成されている。
【００１８】
なお、図２(a)では（図２(b),(c)も同様）、分かりやすくするために、各基材及び各層の間に間隙を設けて示しているが、実際には間隙等は無く、それぞれ密着している。
【００１９】
上記の第１の基材１１は、例えば紙等の表面に印刷が可能な部材で形成されている。また、感熱溶融材層１３は例えば融点が１００度以上２００度以下である蝋などを含む層である。この感熱溶融材層１３は常温常圧では粘着しない。また、粘着層１２は通常の粘着層である。また、第２の基材１４は、ポリエステルフィルムや紙等から成る部材である。
【００２０】
図２(b)に示すように、カセット１５は、シール用リール１６に糊殺しのシール部材１０を巻着し、インクリボンリール１７には通常のインクリボン１８を巻着している。カセット１５の図では左下部となる部分に形成されている切欠凹部１９の開口部には、糊殺しのシール部材１０とインクリボン１８が重ねて差し渡されている。
【００２１】
この差し渡し部において、インクリボン１８は、インクリボンリール１７から引き出され、リボン案内ローラ２１とリボン案内ローラ２２との間に掛け渡され、糊殺しのシール部材１０と共に走行して、リボン巻取りリール２３に巻き取られるようになっている。図では見えないが、上記のシール用リール１６とリボン巻取りリール２３は、ともに紙面奥行き方向向う側の軸端面が、カセット１５の外面に沿って露出している。
【００２２】
このカセット１５は、図２(c)に示すように、シール作成装置である装置本体２５のカセット装着部２６に装着される。装置本体２５の図では左下部となる部分に、カセット１５の切欠凹部１９の開口部と連通する空間部２７が設けられている。
【００２３】
この装置本体２５には、特には図示しないが、キー入力部が設けられている。キー入力部は、カーソルキー、書式設定キー、印刷キー、取消しキー、機能キー、印刷倍率キー、大文字小文字選択キー、シフトキー、単漢字キー、変換キー、無変換キー、実行キー、かな入力と英数字入力を兼用する文字入力キー等からなる複数の操作キーを備えている。また、キー入力部に隣接して液晶表示装置からなる不図示の表示部が配設されている。
【００２４】
また、装置本体２５のカセット装着部２６の装着面には、図では陰になって見えないが、カセット１５が装着されたとき、カセット１５のシール用リール１６に係合するリール軸支持ピンと、リボン巻取りリール２３に係合するリボン巻取り駆動軸とが突設されている。
【００２５】
また、上記の空間部２７は、カセット１５が装着されたとき、カセット１５の切欠凹部１９に挿通されて、糊殺しのシール部材１０の第１の基材１１の面にインクリボン１８を介して対向して配置される印刷用のサーマルヘッド２８と、第２の基材１４の面側に配置される、印刷用のサーマルヘッドと対向するローラ２９を備えている。
【００２６】
印刷用のサーマルヘッド２８は、不図示の支持軸に軸支され、これも不図示の付勢部材に付勢されて、インクリボン１８を介し第１の基材１１の面に圧接する方向と離隔する方向に回動する。
【００２７】
印刷用のサーマルヘッド２８は、インクリボン１８を介し第１の基材１１の面に圧接したとき、印刷情報に応じて発熱素子を発熱させ、発熱で溶融させたインクリボン１８のインクを第１の基材１１の面に転写して、インクリボン１８のインクによる印刷を行う。
【００２８】
印刷用のサーマルヘッドと対向するローラ２９は、印刷用のサーマルヘッド２８に対するプラテンローラと、矢印ａで示す反時計回り方向に回転し、印刷された糊殺しのシール部材１０をシール排出口３０方向へ送出する搬送ローラを兼ねている。
【００２９】
また、上記の空間部２７は、カセット１５が装着されたとき、カセット１５よりも外側となる部分において、糊殺しのシール部材１０の第１の基材１１の面側に配置される溶融用のサーマルヘッドと対向するローラ３１と、第２の基材１４の面側に配置される溶融用のサーマルヘッド３２と、を備えている。
【００３０】
溶融用のサーマルヘッド３２も、不図示の支持軸に軸支され、これも不図示の付勢部材に付勢されて、第２の基材１４の面に圧接する方向と離隔する方向に回動する。
【００３１】
溶融用のサーマルヘッド３２は、第２の基材１４の面に圧接したとき、糊殺し情報に応じて発熱素子を発熱させ、第２の基材１４を介して感熱溶融材層１３を溶融させ、発熱で溶融させた感熱溶融材層１３を第１の基材１１の粘着層１２に転写して、粘着層１２に感熱溶融材層１３による糊殺し部分を形成する。
【００３２】
溶融用のサーマルヘッドと対向するローラ３１は、溶融用のサーマルヘッド３２に対するプラテンローラと、矢印ｂで示す時計回り方向に回転し、印刷と糊殺しの処理が完了したシール部材１０をシール排出口３０方向へ送出する搬送ローラと、を兼ねている。
【００３３】
シール排出口３０の内側近傍には、シール部材１０の搬送路を挟んで対向する二枚の刃３３ａ、３３ｂを備えた裁断部３３が配置されている。裁断部３３は不図示の駆動系に駆動され、印刷と糊殺しの処理が完了してシール排出口３０へ送出されてくるシール部材１０を、糊殺しシールとして所定長に裁断する。裁断は、制御部によって自動で行われるか、手動で行われる。裁断された糊殺しシールはシール排出口３０から機外に排出される。
【００３４】
図３(a),(b),(c)は、上記の糊殺しの処理を更に詳しく説明する図である。なお、図３(a),(b)では、溶融用のサーマルヘッドと対向するローラ３１と溶融用のサーマルヘッド３２とが図の右方に移動しているように示しているが、実際には図２(c)に示したように固定されていて、シール部材１０のほうが、矢印ｄで示すように相対的に図の左方に搬送されている。
【００３５】
図３(a)には、粘着層１２と感熱溶融材層１３との間に間隙があるように示しているが、実際には両者は密着している。また、この図３(a)は、糊殺しの処理を開始すべく、溶融用のサーマルヘッド３２が第２の基材１４に圧接し、溶融用のサーマルヘッドと対向するローラ３１が矢印ｂで示す時計回り方向に回転を開始した状態を示している。
【００３６】
図３(b)は、シール部材１０が所定の長さ搬送された状態を示し、図３(a)の状態から図３(b)の状態まで、溶融用のサーマルヘッド３２が発熱を続けて、第２の基材１４側の感熱溶融材層１３を溶融させ、溶融した感熱溶融材層１３を粘着層１２側に転写して、粘着層１２に範囲ｃにわたる糊殺し部１３−１を形成した状態を示している。
【００３７】
なお、以降、溶融した又は溶融し転写されて粘着層１２側に固結した感熱溶融材層又は固結した感熱溶融材層からなる糊殺し部分をすべて同一の記号で、溶融した感熱溶融材層１３−１、転写されて固結した感熱溶融材層１３−１、糊殺し部分１３−１と記載する。
【００３８】
図３(c)は、図３(b)のように糊殺し処理をされて、裁断され、シール排出口３０から機外に排出された糊殺しシール３４の第２の基材１４をシールから剥がした状態を示している。第１の基材１１と粘着層１２から成る貼着用シール３５には、粘着層１２に転写された感熱溶融材層１３−１による糊殺し部ｃが形成されている。
【００３９】
なお、図３(a),(b),(c)は、糊殺し処理の基本動作を説明したものであり、範囲ｃにわたる糊殺し部１３−１の形成方法、又は形成態様は、制御部により、溶融用のサーマルヘッド３２の発熱素子の発熱を制御することによって、どのようにでも変化させることができる。
【００４０】
図４(a),(b),(c)は、さまざまの異なる糊殺し処理された貼着用シール３５（３５ａ、３５ｂ、３５ｃ）の例を示す図である。図４(a)の貼着用シール３５ａは、単純に糊殺し部分１３−１を形成し状態を示している。
【００４１】
この糊殺し部分１３−１と粘着層１２の部分を入れ替えるように形成すると、つまり粘着層１２が上端部の狭い領域のみに露出して形状にすると、例えばメモ書きを一時的に文書・書籍等に貼り付けるために、剥がし易い糊を利用した紙片である付箋として使用可能なシールができる。
【００４２】
また、図４(b),(c)は、粘着層１２の部分に、例えば、粉状の絵の具を振り掛けると、粘着層１２の部分に従った形状の色模様を作成することができる。この場合、第１の基材１１には、印刷するのではなく、適宜の糊を塗って、適宜の場所に貼り付けて、粘着層１２側の面を飾りとして用いる。
【００４３】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００４４】
第１の基材、粘着剤層、感熱溶融材層、の順に積層されている、
ことを特徴とするシール部材。
[付記２]
【００４５】
一方の面側に前記粘着剤層が積層されている前記感熱溶融材層の他方の面側には、第２の基材が積層されている、
ことを特徴とする付記１記載のシール部材。
[付記３]
【００４６】
前記第１の基材は一方の面に印刷が可能な部材であり、前記感熱溶融材層は蝋を含み、前記第２の基材はポリエステルフィルム又は紙を含む、
ことを特徴とする付記２記載のシール部材。
[付記４]
【００４７】
付記１〜３のいずれか一項に記載のシール部材と、
前記シール部材の前記第２の基材の面側に配置される溶融用のサーマルヘッドと、
前記シール部材の前記第１の基材の面側に配置される前記溶融用のサーマルヘッドと対向するローラと、
前記シール部材を、前記溶融用のサーマルヘッドと、前記溶融用のサーマルヘッドと対向するローラと、で挟持して搬送しながら、前記溶融用のサーマルヘッドにて前記感熱溶融材層の所望の部位を前記第２の基材を介して加熱して、該加熱により感熱溶融した部分の前記感熱溶融材層を前記粘着材層に固着させる制御部と、を有する、
ことを特徴とするシール作成装置。
[付記５]
【００４８】
前記シール部材を巻回して保持するカセットを着脱自在に装着するカセット装着部と、
前記カセットから引き出される前記シール部材の前記第１の基材の面側に配置される印刷用のサーマルヘッドと、
前記シール部材の前記第２の基材の面側に配置される印刷用のサーマルヘッドと対向するローラと、
前記シール部材を装置外に排出するシール排出口と、
前記シール部材を切断する裁断部と、
を有し、
前記制御部は、前記シール部材を前記印刷用のサーマルヘッドと前記印刷用のサーマルヘッドと対向するローラとで挟持して搬送しながら前記印刷用のサーマルヘッドにて前記第１の基材の面に印刷を行う、
ことを特徴とする付記４記載のシール作成装置。
[付記６]
【００４９】
前記制御部は、前記第１の基材の面への印刷と、感熱溶融した部分の前記感熱溶融材層の前記粘着材層への固着と、が完了した前記シール部材を、前記裁断部にて裁断し、裁断した前記シール部材を前記シール排出口から排出する、
ことを特徴とする付記５記載のシール作成装置。
【産業上の利用可能性】
【００５０】
本発明は、どのような状態や紋様にでも糊殺し部分を形成可能な糊殺しシールを個人レベルで作成可能なシール部材及びシール作成装置に利用することができる。
【符号の説明】
【００５１】
１  シール製品
２  第１の基材
３  粘着層
４  第２の基材
５  裏糊付きのシール
６  シール製品
７  部分的粘着層
１０  シール部材
１１  第１の基材
１２  粘着剤層
１３  感熱溶融材層
１３−１  （溶融した又は溶融後固結した感熱溶融材層、糊殺し部分）
１４  第２の基材
１５  カセット
１６  シール用リール
１７  インクリボンリール
１８  インクリボン
１９  切欠凹部
２１、２２  リボン案内ローラ
２３  リボン巻取りリール
２５  シール作成装置（装置本体）
２６  カセット装着部
２７  空間部
２８  印刷用のサーマルヘッド
２９  印刷用のサーマルヘッドと対向するローラ
３０  シール排出口
３１  溶融用のサーマルヘッドと対向するローラ
３２  溶融用のサーマルヘッド
３３  裁断部
３３ａ、３３ｂ  刃
３４  糊殺しシール
３５  貼着用シール
【図１】
2015004027.tif 000003
【図２】
2015004027.tif 000004
【図３】
2015004027.tif 000005
【図４】
2015004027.tif 000006